(57)【要約】  【課題】  自動試験装置による試験結果データを送信機で送信させ、その送信を必要な場所に配置した受信機で受信できる自動試験システムを提供する。  【解決手段】この発明の自動試験システム１において、自動試験装置２０は、被試験機１０に対する試験項目に応じて、具備する複数の測定器２１ａ，２１ｂ，２１ｃから適切な測定器を選択し、選択した測定器を用いて被試験機１０を測定し、その測定データを収集処理して試験結果データを生成する。送信機３０は、自動試験装置２０が生成した試験結果データを受け取ってそれを送信する。受信機４０は、送信機３０が送信した試験結果データを受信し、その内容を表示器４５で表示するとともに異常があった場合にはその旨の警告を光学的な表示あるいは音声で行う。したがって、受信機を必要な場所に配置、あるいは、携帯すれば自動試験装置から離れていても試験結果データを自動的に知ることができる。  【選択図】  図１
2006132999.tif 000002
【特許請求の範囲】
【請求項１】
被試験機に対する試験項目に応じて、具備する複数の測定器から適切な測定器を選択し、選択した測定器を用いて被試験機を測定し、その測定データを収集処理した試験結果データを生成する自動試験装置と、
自動試験装置に接続され、自動試験装置が生成した試験結果データを送信する送信機と、
送信機が送信した試験結果データを受信し、その内容を表示するとともに異常があった場合にはその旨の警告を行う受信機とを有する自動試験システム。
【発明の詳細な説明】
【技術分野】
【０００１】
本発明は、自動試験システムに関し、特に、自動試験装置が被試験機に対する試験項目毎の測定データを自動的に収集処理して生成した試験結果データを離れた場所でも確認することができる自動試験システムに関する。
【背景技術】
【０００２】
図４は、自動試験システムの従来例を示すブロック図である。図４の自動試験システム２は、被試験機１０と自動試験装置１２０とから構成されている。自動試験装置１２０は、各種の測定を実行する測定器１２１ａ，１２１ｂ，１２１ｃと、接続切替器１２２と、コントローラ１２３とから構成されている。また、コントローラ１２３は、パーソナルコンピュータによって構成されており、ＣＰＵ１２４と、ＲＯＭ１２５と、ＲＡＭ１２６と、表示器１２７と、ＨＤＤ１２８とを含んでいる。コントローラ１２３のＣＰＵ１２４は、ＲＯＭ１２５から読み出した試験に関する制御プログラムに従って、被試験機１０に対する試験項目と、試験項目を実行できる測定器とを読み出す。読み出した測定器に対して、読み出した試験項目を実行するように指示を出す。また、測定器に指示を出すとともに、指示を出した測定器を被試験機１０に接続するように、接続切替器１２２を切り替える。
【０００３】
コントローラ１２３のＣＰＵ１２４は、被試験機１０に接続された測定器が測定した測定データを受け取り、ＲＡＭ１２６に格納する。ＲＯＭ１２５には各試験項目に対応する正常値が予め格納されているので、ＣＰＵ１２４は、指示した試験項目に対応する正常値を読み出し、ＲＡＭ１２６に格納した測定データと比較する。比較の結果、測定データは正常値の範囲内であるか否かを判定する。ＣＰＵ１２４は、試験項目と、測定データと、判定結果とからなる試験結果データををＲＡＭ１２６に格納し、表示器１２７に表示する。このような例の他に、本発明に関連したものとして下記の資料（特許文献１）に示されるような提案が開示されている。
【特許文献１】特開２００３−１２１３２５号公報  （第３頁、図１）
【発明の開示】
【発明が解決しようとする課題】
【０００４】
しかし、上記の従来技術においては、被試験機に対する測定データに異常がないかどうか等の試験状況を知るためには、自動試験装置のコントローラの表示器の画面を監視していなければならず、自動試験装置から離れなければならない場合には、被試験機に対する試験状況を知ることが困難であるという問題がある。
【０００５】
本発明は上述した問題点を解決するためになされたものであり、自動試験装置による試験結果データを送信機によって送信させ、その送信を受信機によって受信することによって、身近な必要な場所に受信機を配置（携帯も含め）すれば自動試験装置から離れていても試験結果データを直ちに知ることができる自動試験システムを提供することを目的とする。
【課題を解決するための手段】
【０００６】
上述した課題を解決するため、本発明に係る自動試験システムは、被試験機に対する試験項目に応じて、具備する複数の測定器から適切な測定器を選択し、選択した測定器を用いて被試験機を測定し、その測定データを収集処理した試験結果データを生成する自動試験装置と、自動試験装置に接続され、自動試験装置が生成した試験結果データを送信する送信機と、送信機が送信した試験結果データを受信し、その内容を表示するとともに異常があった場合にはその旨の警告を行う受信機とを有する。
【０００７】
上述したような構成によれば、自動試験装置は、被試験機に対する試験項目に応じて、具備する複数の測定器から適切な測定器を選択し、選択した測定器を用いて被試験機を測定し、その測定データを収集処理して試験結果データを生成し、送信機は、自動試験装置が生成した試験結果データを受け取ってそれを送信する。受信機は、送信機が送信した試験結果データを受信し、その内容を表示するとともに異常があった場合にはその旨の警告を行う。したがって、身近に受信機を配置すれば自動試験装置から離れていても試験結果データを自動的に知ることができる。
【発明の効果】
【０００８】
以上に詳述したように本発明の自動試験システムによれば、自動試験装置は、被試験機に対する試験項目に応じて、具備する複数の測定器から適切な測定器を選択し、選択した測定器を用いて被試験機を測定し、その測定データを収集処理して試験結果データを生成し、送信機は、自動試験装置が生成した試験結果データを受け取ってそれを送信する。受信機は、送信機が送信した試験結果データを受信し、その内容を表示するとともに異常があった場合にはその旨の警告を行う。したがって、必要な場所に受信機を配置すれば自動試験装置から離れていても試験結果データを知ることができ、ひいては、自動試験装置のあるところに常駐して表示器の画面を監視していなければならないという必要がなくなる。
【発明を実施するための最良の形態】
【０００９】
以下、本発明の実施の形態について図面を参照しつつ説明する。図１は本発明の自動試験システムの実施の形態を示すブロック図、図２は、図１の送信機の構成を説明するためのブロック図、図３は、図１の受信機の構成を説明するためのブロック図である。図１の自動試験システム１は、被試験機１０と、自動試験装置２０と、送信機３０と、受信機４０とを有する。また、自動試験装置２０は、各種の測定を実行する測定器２１ａ，２１ｂ，２１ｃと、接続切替器２２と、コントローラ２３とから構成されている。また、この例においては、コントローラ２３は、パーソナルコンピュータによって構成されており、ＣＰＵ２４と、ＲＯＭ２５と、ＲＡＭ２６と、表示器２７と、ＨＤＤ２８とを含んでいる。
【００１０】
コントローラ２３のＣＰＵ２４は、ＲＯＭ２５から読み出した試験に関する制御プログラムに従って、被試験機１０に対して実行しなければならない試験項目と、試験項目を実行できる測定器とを読み出す。読み出した測定器に対して、ＧＰ−ＩＢ（General Purpose - Interface Bus）である制御ラインＣＬＡを介して、読み出した試験項目を実行するように指示を出す。また、指示を出した測定器を被試験機１０に接続するように、ＲＳ−２３２Ｃの制御ラインＣＬＢを介して接続切替器２４を切り替える。ＣＰＵ２４は、被試験機１０に接続された測定器から送られる測定データを制御ラインＣＬＡを介して受け取り、ＲＡＭ２６に格納する。
【００１１】
ＲＯＭ２５には各試験項目に対応する正常値が予め格納されているので、コントローラ２３のＣＰＵ２４は、指示した試験項目に対応する正常値を読み出し、ＲＡＭ２６に格納した測定データと比較する。比較の結果、測定データは正常値の範囲内であるか否かを判定する。ＣＰＵ２４は、試験項目と、測定データと、判定結果とからなる試験結果データををＲＡＭ２６に格納し、表示器２７に表示するとともに、送信機３０に引き渡す。送信機３０においては、ＲＯＭ３５の制御プログラムに従って動作する制御部３４が引き渡された試験結果データをＲＡＭ３６に取り込み、取り込んだ試験結果データを変調部３３に引き渡し、変調部３３は試験結果データで変調を行い、送信部３２がそれをアンテナ３１を介して送信する。
【００１２】
試験状態の監視を担当する者の身近に配置（携帯する場合も含む）された受信機４０は、送信部３２からの送信をアンテナ４１を介して受信部４２で受信し、復調部４３に引き渡す。復調部４３は、受信信号を復調して試験結果データを得て制御部４４に引き渡す。制御部４４は、ＲＯＭ４６の制御プログラムに従って、引き渡された試験結果データをＲＡＭ４７に格納するとともに、その内容を表示器４５に表示する。その際に、試験結果データの中の測定データ（例えば周波数）が正常値の範囲内でなく異常であると判定されている場合には、その旨の光学的な表示（ＬＣＤ、ＬＥＤ）、あるいは、光学的な表示とともに音声（例えば、ブザー音）の警告を発するようにする。したがって、自動試験装置２０の試験状態の監視を担当する者は、自動試験装置２０の前に常駐する必要が無く、例えば、受信機４０の受信範囲であれば、受信機４０を携帯して自由に移動しても監視を継続することができる。また、このことから監視以外の業務を遂行している場合に、異常が発生しても直ちに異常処理に対応することができ、業務を効率的に遂行することができる。
【００１３】
上述の例では、測定データやが試験結果データをＲＡＭに格納するように説明したが、ＲＡＭ以外のＨＤＤなどの再書き込み可能な記憶媒体を使用してもよいことはいうまでもない。また、警告は試験結果データの中の測定データが異常である場合に発せられるようにしているが、異常でなくても、一つの試験項目に対する処理が完了した場合、あるいは、予め決められた一連の試験項目に対する処理が完了した場合には、それぞれに予め決められた注意音を発生させるようにするのが好ましい。なお、本発明について上述のように実施の形態を挙げて説明したが、このことは実施の形態によって本発明を制限するものではなく、本発明は、特許請求の範囲に記載される発明の精神および範囲に含まれる全ての代替物、変更および等価物を包含するものであることもいうまでもない。
【図面の簡単な説明】
【００１４】
【図１】本発明の自動試験システムの実施の形態を示すブロック図である。
【図２】図１の送信機の構成を説明するためのブロック図である。
【図３】図１の受信機の構成を説明するためのブロック図である。
【図４】自動試験システムの従来例を示すブロック図である。
【符号の説明】
【００１５】
１  自動試験システム、１０  被試験機、２０  自動試験装置、２１ａ，２１ｂ，２１ｃ  測定器、２２  接続切替器、  ２３  コントローラ、２４  ＣＰＵ、２５，３５，４６  ＲＯＭ、２６，３６，４７  ＲＡＭ、２７，４５  表示器、２８  ＨＤＤ、３０  送信機、３１，４１  アンテナ、３２  送信部、３３  変調部、３４，４４  制御部、４０  受信機、４２  受信部、４３  復調部。
【図１】
2006132999.tif 000003
【図２】
2006132999.tif 000004
【図３】
2006132999.tif 000005
【図４】
2006132999.tif 000006